(57)【要約】【課題】装着者の周辺の環境または装着者の状態などに応じて、装着者が心地良い、すなわち不快を与えない強さまたは向きの風を装着者の顔に送出することができる空気送出機能付き眼鏡を提供する。【解決手段】眼鏡本体２のフレーム１１に設けられ、眼鏡本体２の装着者の顔側に空気を送出可能な空気送出部３と、空気送出部３からの空気の送出を制御する制御部１５と、制御部１５の送出制御に用いられる送出制御情報を取得する送出制御情報取得部１３とを備え、制御部１５が、送出制御情報に基づいて、上記空気の送出によって発生する風の強さおよび/または向きを自動的に制御する。【選択図】図１
2017134100.tif 000002
【特許請求の範囲】
【請求項１】
眼鏡本体のフレームに設けられ、前記眼鏡本体の装着者の顔側に空気を送出可能な空気送出部と、
該空気送出部からの空気の送出を制御する制御部と、
前記制御部の送出制御に用いられる送出制御情報を取得する送出制御情報取得部とを備え、
前記制御部が、前記送出制御情報に基づいて、前記空気の送出によって発生する風の強さおよび/または向きを自動的に制御することを特徴とする空気送出機能付き眼鏡。
【請求項２】
前記送出制御情報取得部が、前記送出制御情報として前記装着者の周辺の環境情報を取得する周辺環境情報取得部および/または前記送出制御情報として前記装着者の情報を取得する装着者情報取得部を有する請求項１記載の空気送出機能付き眼鏡。
【請求項３】
前記周辺環境情報取得部が、前記装着者の周辺の環境における風の強さおよび向きのうちの少なくとも１つの情報を前記環境情報として取得する請求項２記載の空気送出機能付き眼鏡。
【請求項４】
前記周辺環境情報取得部が、前記装着者の周辺の環境における花粉の量に関する情報を前記環境情報として取得する請求項２または３記載の空気送出機能付き眼鏡。
【請求項５】
前記装着者情報取得部が、前記装着者の顔と該顔に対向して設けられた前記空気送出部の空気の送出口との間の距離情報、前記装着者の顔の肌の水分量の情報および前記装着者の体温の情報の少なくとも１つを前記装着者の情報として取得する請求項２から４いずれか１項記載の空気送出機能付き眼鏡。
【請求項６】
前記環境情報および/または前記装着者の情報を無線通信を介して取得する無線通信部を備えた請求項２から５いずれか１項記載の空気送出機能付き眼鏡。
【請求項７】
前記空気送出部が、ファン部を有し、
該ファン部が、ファンの回転によって外部から空気が流れ込む取込み口と、前記ファンの回転によって外部へ空気を排出する排出口とを有し、前記取込み口および前記排出口のうちの少なくとも一方にフィルタが設けられている請求項１から６いずれか１項記載の空気送出機能付き眼鏡。
【請求項８】
前記フィルタが、前記ファン部に対して着脱可能である請求項７記載の空気送出機能付き眼鏡。
【請求項９】
前記眼鏡本体のフレーム、前記眼鏡本体のレンズ部、前記制御部、前記空気送出部のファン部および電源部の少なくとも１つが、前記眼鏡本体に対して着脱可能である請求項１から８いずれか１項記載の空気送出機能付き眼鏡。
【請求項１０】
前記眼鏡本体の装着者への装着状態を検出する装着状態検出部を備え、
前記制御部が、前記装着状態検出部によって前記眼鏡本体が装着者に装着されていることが検出された場合には、前記空気の送出制御を行い、前記眼鏡本体が前記装着者に装着されていないことが検出された場合には、前記空気の送出制御を停止する請求項１から９いずれか１項記載の空気送出機能付き眼鏡。
【請求項１１】
前記装着状態検出部が、前記フレームを構成するテンプルが開いた状態であることを検出することによって前記眼鏡本体が前記装着者に装着されていることを検出する請求項１０記載の空気送出機能付き眼鏡。
【請求項１２】
前記装着状態検出部が、前記フレームを構成するテンプルが前記装着者の肌に密着している状態を検出することによって前記眼鏡本体が前記装着者に装着されていることを検出する請求項１０記載の空気送出機能付き眼鏡。
【請求項１３】
前記装着状態検出部が、前記装着者の眼球の動きを検出することによって前記眼鏡本体が前記装着者に装着されているか否かを検出する請求項１０記載の空気送出機能付き眼鏡。
【請求項１４】
前記装着者の眼球の動きを検出する動き検出部を有し、
前記制御部が、前記動き検出部が検出した眼球の動きに基づいて、前記空気の送出制御を停止する請求項１から１３いずれか１項記載の空気送出機能付き眼鏡。
【請求項１５】
前記制御部が、前記眼球が予め設定された方向を向いている状態が予め設定された時間継続した場合に、前記空気の送出制御を停止する請求項１４記載の空気送出機能付き眼鏡。
【発明の詳細な説明】
【技術分野】
【０００１】
本発明は、装着者の顔側に風を送出可能な空気送出機能付き眼鏡に関するものである。
【背景技術】
【０００２】
従来、人の眼に花粉が付着して花粉症を発生するのを防止したり、または人の眼に粉塵などが入るのを防止するための器具として、眼の周囲を完全に覆うように構成されたゴーグルが使用されている。
【０００３】
しかしながら、上述したようなゴーグルを装着すると眼の周囲が密閉された状態となるため、ゴーグル内が蒸れた状態になって装着者に不快感を与えたり、装着者の顔の肌とゴーグルとが密着することによって装着者に圧迫感を与えたりする問題があった。
【０００４】
そこで、装着者の肌に密着するようなゴーグルではなく、いわゆる眼鏡のフレームから空気を送出することによって花粉または粉塵を吹き飛ばし、これにより花粉または粉塵が眼に入るのを防止する眼鏡型の器具が提案されている（特許文献１〜特許文献５参照）。
【先行技術文献】
【特許文献】
【０００５】
【特許文献１】特開２０１０−２４３７０４号公報
【特許文献２】特開２００７−３０１３１７号公報
【特許文献３】特開２００５−１６５２４２号公報
【特許文献４】特表平７−５０６９０６号公報
【特許文献５】実用新案登録第３１１０４９６号公報
【発明の概要】
【発明が解決しようとする課題】
【０００６】
しかしながら、たとえば装着者の周辺において強い風が吹いているような環境の場合、眼鏡から送出される風の強さが一定であり、風の向きが固定である場合には、空気中の花粉または粉塵に対して十分なバリア効果を得ることができない場合がある。また、たとえば眼鏡の風の送出口と装着者の顔との距離は装着者によってそれぞれ異なるため、眼鏡から送出される風の強さを一定とした場合には、十分なバリア効果を得ることができない場合がある。
【０００７】
本発明は、上記の問題に鑑み、装着者の周辺の環境または装着者の状態などに応じて適切な強さまたは向きの風を送出することができる空気送出機能付き眼鏡を提供することを目的とする。
【課題を解決するための手段】
【０００８】
本発明の空気送出機能付き眼鏡は、眼鏡本体のフレームに設けられ、眼鏡本体の装着者の顔側に空気を送出可能な空気送出部と、空気送出部からの空気の送出を制御する制御部と、制御部の送出制御に用いられる送出制御情報を取得する送出制御情報取得部とを備え、制御部が、送出制御情報に基づいて、上記空気の送出によって発生する風の強さおよび/または向きを自動的に制御する。
【０００９】
ここで、本発明の空気送出機能付き眼鏡における「眼鏡」とは、必ずしもレンズ部を備えてなくてもよく、たとえば眼鏡本体がフレームのみからなるものでもよい。また、フレームに対してレンズ部が着脱可能な構成でもよい。
【００１０】
また、上記本発明の空気送出機能付き眼鏡において、送出制御情報取得部は、送出制御情報として装着者の周辺の環境情報を取得する周辺環境情報取得部および/または送出制御情報として装着者の情報を取得する装着者情報取得部を有することができる。
【００１１】
また、上記本発明の空気送出機能付き眼鏡において、周辺環境情報取得部は、装着者の周辺の環境における風の強さおよび向きのうちの少なくとも１つの情報を環境情報として取得することができる。
【００１２】
また、上記本発明の空気送出機能付き眼鏡において、周辺環境情報取得部は、装着者の周辺の環境における花粉の量に関する情報を環境情報として取得することができる。
【００１３】
また、上記本発明の空気送出機能付き眼鏡において、装着者情報取得部は、装着者の顔とその顔に対向して設けられた空気の送出口との間の距離情報、装着者の顔の肌の水分量の情報および装着者の体温の情報の少なくとも１つを装着者の情報として取得することができる。
【００１４】
また、上記本発明の空気送出機能付き眼鏡においては、環境情報および/または装着者の情報を無線通信を介して取得する無線通信部を備えることができる。
【００１５】
また、上記本発明の空気送出機能付き眼鏡において、空気送出部は、ファン部を有し、ファン部は、ファンの回転によって外部から空気が流れ込む取込み口と、ファンの回転によって外部へ空気を排出する排出口とを有し、取込み口および排出口のうちの少なくとも一方にフィルタを設けることができる。
【００１６】
また、上記本発明の空気送出機能付き眼鏡において、フィルタは、ファン部に対して着脱可能であることが好ましい。
【００１７】
また、上記本発明の空気送出機能付き眼鏡において、眼鏡本体のフレーム、眼鏡本体のレンズ部、制御部、空気送出部のファン部および電源部の少なくとも１つは、眼鏡本体に対して着脱可能であることが好ましい。
【００１８】
また、上記本発明の空気送出機能付き眼鏡においては、眼鏡本体の装着者への装着状態を検出する装着状態検出部を備え、制御部は、装着状態検出部によって眼鏡本体が装着者に装着されていることが検出された場合には、空気の送出制御を行い、眼鏡本体が装着者に装着されていないことが検出された場合には、空気の送出制御を停止することができる。
【００１９】
また、上記本発明の空気送出機能付き眼鏡において、装着状態検出部は、フレームを構成するテンプルが開いた状態であることを検出することによって眼鏡本体が装着者に装着されていることを検出することができる。
【００２０】
また、上記本発明の空気送出機能付き眼鏡において、装着状態検出部は、フレームを構成するテンプルが装着者の肌に密着している状態を検出することによって眼鏡本体が装着者に装着されていることを検出することができる。
【００２１】
また、上記本発明の空気送出機能付き眼鏡において、装着状態検出部は、装着者の眼球の動きを検出することによって眼鏡本体が装着者に装着されているか否かを検出することができる。
【００２２】
また、上記本発明の空気送出機能付き眼鏡においては、装着者の眼球の動きを検出する動き検出部を有し、制御部は、動き検出部が検出した眼球の動きに基づいて、空気の送出制御を停止することができる。
【００２３】
また、上記本発明の空気送出機能付き眼鏡において、制御部は、眼球が予め設定された方向を向いている状態が予め設定された時間継続した場合に、空気の送出制御を停止することができる。
【発明の効果】
【００２４】
本発明の空気送出機能付き眼鏡によれば、眼鏡本体の装着者の顔側に空気を送出可能な空気送出部と、空気送出部からの空気の送出を制御する制御部と、制御部の送出制御に用いられる送出制御情報を取得する送出制御情報取得部とを備え、制御部が、送出制御情報に基づいて、上記空気の送出によって発生する風の強さおよび/または向きを自動的に制御するようにしたので、たとえば装着者の周辺の環境情報または装着者の情報を送出制御情報として取得すれば、装着者の周辺の環境または装着者の状態などに応じて、心地良い、すなわち不快を与えない強さまたは向きの風を送出することができ、花粉または粉塵などのバリア効果を充分に得ることができる。
【図面の簡単な説明】
【００２５】
【図１】本発明の空気送出機能付き眼鏡の一実施形態の概略構成を示す斜視図
【図２】図１に示す空気送出機能付き眼鏡を装着者側から見た斜視図
【図３】本発明の空気送出機能付き眼鏡の一実施形態の電気的な構成を示すブロック図
【図４】装着者の周辺の風の強さと空気送出機能付き眼鏡から送出される風の強さとの関係の一例を示す図
【図５】本発明の空気送出機能付き眼鏡の一実施形態の一連の動作を説明するためのフローチャート
【図６】送出する風の向きを制御可能な空気送出機能付き眼鏡の概略構成を示す図
【図７】図６に示す空気送出機能付き眼鏡におけるルーバーの動作を説明するための図
【図８】空気送出機能付き眼鏡の前側と後ろ側にルーバーを設けた例を説明するための図
【図９】装着者の周辺の風の強さに応じて空気送出機能付き眼鏡から送出される風の向きを変更する例を説明するための図
【図１０】装着者の周辺の風の強さおよび向きに応じて空気送出機能付き眼鏡から送出される風の強さおよび向きを変更する例を説明するための図
【発明を実施するための形態】
【００２６】
以下、本発明の空気送出機能付き眼鏡の一実施形態について、図面を参照しながら詳細に説明する。図１は、本実施形態の空気送出機能付き眼鏡１の概略構成を示す斜視図である。なお、本明細書においては、なお、本明細書において、“前”、“後”、“左”、“右”、“上”、及び“下”とは、空気送出機能付き眼鏡を装着者の頭部に装着した状態で、その装着者から見た場合の“前”、“後”、“左”、“右”、“上”、及び“下の各方向を指すものとする。
【００２７】
本実施形態の空気送出機能付き眼鏡１（以下、単に眼鏡１という）は、空気送出機能を有するものであり、この空気送出機能により装着者の顔側に空気を送出することによって、花粉または粉塵などが装着者の眼に入るのを防止することができるものである。
【００２８】
具体的には、本実施形態の眼鏡１は、図１に示すように、装着者の頭部に装着される眼鏡本体２と、眼鏡本体２のフレーム１１に設けられ、眼鏡本体２の装着者の顔側に空気を送出可能な空気送出部３と、空気送出部３からの空気の送出を制御する制御部１５と、制御部１５の送出制御に用いられる送出制御情報を取得する送出制御情報取得部１３と、空気送出部３、送出制御情報取得部１３および制御部１５に電力を供給する電源部１４とを備えている。
【００２９】
眼鏡本体２は、フレーム１１と、フレーム１１に取り付けられた眼鏡レンズ１０（レンズ部に相当する）とを備えている。フレーム１１は、装着者の耳に掛けられるテンプル１０１と、ヒンジを介してテンプル１０１に接続されるリム１０２と、左右のリム１０２の間を接続するブリッジ１０３と、鼻パッド１０４とから構成されている。
【００３０】
眼鏡レンズ１０は、フレーム１１の左右のリム１０２に対して着脱可能なものである。なお、図１では、左右のリム１０２に対して眼鏡レンズ１０を取り付けた例を示しているが、眼鏡レンズ１０に限らず、視力調整機能のないガラス部材またはプラスチック部材もリム１０２に対して取り付け可能であり、また、紫外線をカットするガラス部材プラスチック部材も取り付け可能である。また、本実施形態においては、リム１０２を装着者の眼の周りを一周するフルリムとしたが、これに限らず、たとえば上側だけのハーフリムまたは下側だけのアンダーリムとしてもよい。
【００３１】
電源部１４は、左側のテンプル１０１の先端（モダン）に着脱可能に取り付けられるものであり、制御部１５は、右側のテンプル１０１の先端（モダン）に着脱可能に取り付けられるものである。
【００３２】
電源部１４は、非充電式の電池が内蔵されたものでもよいし、充電式の電池が内蔵されたものでもよい。また、有線を介して外部電源から電力の供給を受けるものでもよいし、無線給電方式のものでもよい。制御部１５は、ＣＰＵ（Central Processing Unit）およびメモリなどを備えたものであり、ＯＳ（Operating System）またはファームウェア上で動作する制御プログラムが組み込まれたものである。なお、装着者が眼鏡１をかけたときの左右の重量バランスをとるために、電源部１４とは左右反対側のテンプル１０１に設けられた制御部１５にも電池などを内蔵して電源部として機能させるようにしてもよい。
【００３３】
空気送出部３は、ファン部１２を備えている。ファン部１２は、具体的には、シロッコファンを備えており、制御部１５から出力された制御信号に基づいて、ファン（図示省略）を回転させるものである。ファン部１２は、ファンの回転によって外部から空気が流れ込む取込み口１２ｂと、ファンの回転によって外部へ空気を排出する排出口１２ｃとを備えている。取込み口１２ｂおよび/または排出口１２ｃには、空気から花粉または粉塵を取り除くためのフィルタを設けることが望ましい。
【００３４】
フィルタとしては、不織布からなるものなど公知のものを使用できるが、花粉の機能を失効させる効果を有する薬効成分を含むフィルタ、または滅菌機能もしくは抗菌機能を有するフィルタを用いるようにしてもよい。また、フィルタは、ファン部１２に対して着脱可能とすることが望ましい。このように構成することにより、メンテナンスが可能となり、花粉除去機能を維持または向上させることができる。
【００３５】
また、ファン部１２の上面には、空気送出部３からの空気の送出を開始させるためのボタン１２ａが設けられている。ボタン１２ａは、装着者が手動によって空気の送出を開始および停止させる際に押下されるものである。
【００３６】
また、ファン部１２は、左側のテンプル１０１のリム１０２側の端部に対して着脱可能に取り付けられるものである。
【００３７】
空気送出部３は、図２に示すように、ファン部１２の排出口１２ｃから排出された風Ｗ２が送り込まれるエアチューブ１６を備えている。図２は、眼鏡１を装着者側から見た図であり、左右のテンプル１０１および左右のテンプル１０１に取り付けられる各部は図示省略している。
【００３８】
エアチューブ１６は、図２に示すように、リム１０２およびブリッジ１０３の内部に設けられており、装着者の左右の眼の周りを一周するように設けられている。そして、エアチューブ１６の一端は開口されており、その開口は、左側のリム１０２の左上の隅に形成された孔１０２ａに接続されている。
【００３９】
そして、ファン部１２から排出された風Ｗ２は、リム１０２に形成された孔１０２ａを介してエアチューブ１６の一端の開口に流入する。エアチューブ１６に流入した風は、エアチューブ１６内を流れてエアチューブ１６の他端まで到達する。なお、エアチューブ１６の他端は閉塞しているものとする。
【００４０】
エアチューブ１６には所定の間隔を空けて空気穴（図示省略）が形成され、さらに、その空気穴に対向したリム１０２上の位置には、エアチューブ１６内を流れる空気を装着者の顔側に送出する送出口１０２ｂが形成されている。なお、送出口１０２ｂは、リム１０２およびブリッジ１０３に沿ってエアカーテンが形成される程度の数だけ形成することが望ましく、このエアカーテンによって花粉および粉塵が、リム１０２から眼鏡レンズ１０中央側に向かって入るのを防止することができる。なお、本実施形態においては、ファン部１２、リム１０２に形成された孔１０２ａ、エアチューブ１６および送出口１０２ｂから空気送出部３が構成されている。また、空気送出部３を構成するファン部１２および孔１０２ａの配置、エアチューブ１６の配置および形状、並びに送出口１０２ｂの配置、形状および数などは本実施形態の構成に限定されるものではない。
【００４１】
送出制御情報取得部１３は、上述したように、空気送出部３から送出される空気によって発生する風Ｗ１（図１参照）の送出制御に用いられる送出制御情報を取得するものである。制御部１５は、送出制御情報取得部１３によって取得された送出制御情報に基づいて、空気送出部３からの空気の送出制御を行う。図３は、本実施形態の眼鏡１の電気的な構成を示すブロック図である。
【００４２】
送出制御情報取得部１３は、図３に示すように、周辺環境情報取得部２１、装着者情報取得部２２、無線通信部２３、温度検出部２４および湿度検出部２５を備えている。
【００４３】
周辺環境情報取得部２１は、眼鏡１の装着者の周辺の環境情報を取得するものである。周辺環境情報取得部２１は、具体的には、装着者の周辺の環境における風の強さおよび向きのうちの少なくとも１つを取得するものである。また、周辺環境情報取得部２１は、装着者の周辺の環境における風の温度および湿度のうちの少なくとも１つを取得するものである。
【００４４】
なお、ここでいう装着者の周辺の環境における風の強さは、眼鏡１が受ける風の強さのことであり、具体的には、眼鏡１が受ける風圧の情報を取得する。眼鏡１が受ける風圧の情報は、風圧検出部２６によって検出される。風圧検出部２６としては、たとえば小型の風圧センサが用いられる。風圧センサは、たとえば左右のリム１０２の上面、下面、左面、右面、前面および後面に設けられ、各風圧センサによって検出された風圧が、周辺環境における風の強さの情報として周辺環境情報取得部２１によって取得される。
【００４５】
また、上述した装着者の周辺の環境における風の向きは、眼鏡１が受ける風の向きのことであり、眼鏡１が、その前後、上下、または左右のどの方向から風を受けているかを示す情報である。風の向きの情報についても、風圧検出部２６によって検出された風圧の情報に基づいて算出することができる。具体的には、各風圧センサによって検出された風圧の情報が周辺環境情報取得部２１によって取得され、周辺環境情報取得部２１は、各風圧センサによって検出された風圧の大きさのバランスに基づいて、周辺環境の風の向きを算出する。具体的には、たとえば最大の風圧が検出された風圧センサが設けられた位置に基づいて、周辺環境の風の向きを求めることができるが、風の向きの求め方についてはこの方法に限らず、その他の方法でもよい。
【００４６】
また、装着者の周辺の環境における風の温度および湿度は、送出制御情報取得部１３内に設けられた温度検出部２４および湿度検出部２５によってそれぞれ検出される。温度検出部２４および湿度検出部２５としては、それぞれ公知の温度センサおよび湿度センサを用いることができる。なお、周辺環境における風の温度および湿度の情報については、必ずしも温度センサおよび湿度センサによって検出された情報でなくてもよく、気象庁などから公表される気温情報および湿度情報を用いるようにしてもよい。この場合、周辺環境情報取得部２１は、無線通信部２３を介してインターネットなどのネットワークにアクセスし、気象庁のホームページなどから気温情報および湿度情報を取得するようにすればよい。なお、この際、装着者の位置情報も必要となるが、たとえばＧＰＳ（Global Positioning System）機能などを用いて位置情報を取得するようにすればよい。
【００４７】
周辺環境情報取得部２１によって取得された周辺環境の風の温度および湿度の情報は、制御部１５に出力される。制御部１５は、入力された温度情報および湿度情報に基づいて、ファン部１２に設けられた温度調整部２７および湿度調整部２８を制御する。
【００４８】
温度調整部２７は、ファン部１２から排出される空気の温度を調整するものであり、具体的には、ヒーターなどを有する。制御部１５は、周辺環境の温度が予め設定された温度閾値よりも低い場合には、温度調整部２７を制御することによってファン部１２から排出される空気の温度を上げる。すなわち、送出口１０２ｂから送出される空気の温度を上げる。一方、制御部１５は、周辺環境の温度が予め設定された温度閾値よりも高い場合には、温度調整部２７を制御することによってファン部１２から排出される空気の温度を下げる。すなわち、送出口１０２ｂから送出される空気の温度を下げる。このように空気の温度調整を行うことによって、装着者の顔側に適切な温度の空気を送出することができる。
【００４９】
湿度調整部２８は、ファン部１２から排出される空気の湿度を調整するものであり、具体的には、水が貯留される貯留部などを有する。制御部１５は、周辺環境の湿度が予め設定された湿度閾値よりも低い場合には、湿度調整部２８を制御することによってファン部１２から排出される空気の湿度を上げる。すなわち、送出口１０２ｂから送出される空気の湿度を上げる。一方、制御部１５は、周辺環境の湿度が予め設定された湿度閾値よりも高い場合には、湿度調整部２８を制御することによってファン部１２から排出される空気の湿度を下げる。すなわち、送出口１０２ｂから送出される空気の湿度を下げる。このように空気の湿度調整を行うことによって、装着者の顔側に適切な湿度の空気を送出することができる。
【００５０】
また、ファン部１２に、ファン部１２から排出される空気に香りを付与する構成を設けるようにしてもよい。
【００５１】
また、周辺環境情報取得部２１は、装着者の周辺の環境における花粉の量に関する情報を取得するようにしてもよい。花粉の量に関する情報としては、たとえば気象庁などから公表される花粉の量の情報を用いることができる。具体的には、温度情報および湿度情報と同様に、周辺環境情報取得部２１が、無線通信部２３を介してインターネットなどのネットワークにアクセスし、ＧＰＳ機能によって取得された装着者の位置情報に基づいて、気象庁のホームページなどからその装着者の位置の花粉の量の情報を取得するようにすればよい。
【００５２】
また、上述したように花粉の量を直接的に示す情報を取得するのではなく、花粉の量を間接的に示している情報を取得するようにしてもよい。花粉の量を間接的に示している情報としては、装着者の周辺における雨の降水情報がある。装着者の周辺において降水がある場合には、雨によって花粉の飛散が抑えられているので、装着者の周辺の花粉の量は少ないと推定される。一方、装着者の周辺において降水がない場合には、雨が降っていないので花粉が空気中に飛散しており、装着者の周辺の花粉の量は多いと推定される。
【００５３】
したがって、装着者の周辺における雨の降水情報は、装着者の周辺における花粉の量を間接的に示す情報であり、この情報を、周辺環境情報取得部２１が、花粉の量に関する情報として取得するようにしてもよい。装着者の周辺における雨の降水情報についても、上記と同様に、周辺環境情報取得部２１が、無線通信部２３を介してインターネットなどのネットワークにアクセスし、ＧＰＳ機能によって取得された装着者の位置情報に基づいて、気象庁のホームページなどからその装着者の位置の降水情報を取得するようにすればよい。
【００５４】
また、周辺環境情報取得部２１は、装着者が室内にいるのか、または室外にいるのかの情報を周辺の環境情報として取得するようにしてもよい。装着者が室内にいるのか、または室外にいるのかの情報については、たとえばＡＰＩ（Application Programming Interface)を用いて、無線通信部２３を介してインターネットなどのネットワークにアクセスし、ｇｏｏｇｌｅマップ（登録商標）など任意のクラウド地図サービスの地図データを取得し、その地図データとＧＰＳ機能によって取得した位置情報とに基づいて取得するようにすればよい。
【００５５】
次に、装着者情報取得部２２は、装着者に関する情報を取得するものである。具体的には、リム１０２に形成された送出口１０２ｂと装着者の顔との間の距離情報が、装着者の顔の肌の水分量の情報および装着者の体温の情報の少なくとも１つが取得される。
【００５６】
リム１０２に形成された送出口１０２ｂと装着者の顔との間の距離情報は、距離検出部４０によって検出される。距離検出部４０としては、たとえば光を顔に照射してその反射光を受光することによって距離を計測する距離センサを用いることができ、この距離センサをリム１０２の送出口１０２ｂが形成された面に設けるようにすればよい。
【００５７】
また、装着者の顔の肌の水分量の情報は、肌水分量検出部４１によって検出される。肌水分量検出部４１は、装着者の眼の周囲の中でも比較的乾燥しやすい眼の下の肌の拡大画像を撮影する撮像素子を備えたものである。撮像素子は、たとえばリム１０２の下側の辺の顔側の面上に設けるようにすればよい。そして、撮像素子によって撮影された眼の下の肌の拡大画像が、装着者情報取得部２２によって取得され、装着者情報取得部２２は、予め組み込まれた画像解析プログラムによって肌の拡大画像内に含まれる剥がれた角質の画像の面積を算出し、この面積に基づいて肌の水分量を推定する。剥がれた角質の画像の面積が多いほど肌が乾燥しており、水分量が少ないことになる。なお、上述した画像解析プログラムによる画像解析は、必ずしも装着者情報取得部２２によって行わなくてもよく、無線通信部２３を介して外部装置に肌の拡大画像を送信し、その外部装置に組み込まれた画像解析プログラムを用いて画像解析を行い、無線通信部２３を介して外部装置から肌の水分量の情報を取得するようにしてもよい。
【００５８】
また、装着者の顔の肌の水分量の情報を取得する方法としては、上記の方法に限らず、たとえば肌水分量検出部４１として、角質の水分を計測可能なセンサを用いるようにしてもよい。このようなセンサを用いる場合、たとえばリム１０２の下側の辺の顔側の面に上記センサを設け、かつこのセンサを定期的に肌に密着させるような機械的な機構を設けることによって、センサを定期的に眼の下の肌に密着させて水分量を計測するようにすればよい。
【００５９】
また、装着者の体温の情報は、体温検出部４２によって検出される。体温検出部４２としては、たとえば赤外線体温計など非接触型の体温計を用いることができる。たとえばリム１０２の顔側の面に上述した非接触型の体温計を設けるようにすればよい。ただし、接触型の体温センサなどを用いるようにしてもよく、その場合には、たとえばテンプル１０１の耳と接触する部分に対して接触型の温度センサを設けるようにすればよい。
【００６０】
なお、周辺環境情報取得部２１および装着者情報取得部２２は、制御部１５と同様に、ＣＰＵおよびメモリなどを備えたものであり、ＯＳまたはファームウェア上で動作するプログラムが組み込まれたものである。
【００６１】
周辺環境情報取得部２１によって取得された装着者の周辺の環境情報および装着者情報取得部２２によって取得された装着者の情報は、制御部１５に出力される。そして、制御部１５は、入力された装着者の周辺の環境情報および装着者の情報に基づいて、空気送出部３から送出される空気によって発生する風の強さを制御する。なお、ここでいう風の強さとは、全ての送出口１０２ｂから送出される単位時間当たりの空気の量のことをいう。
【００６２】
空気送出部３から送出される風の強さを制御する方法としては、たとえば、制御部１５から出力された制御信号に基づいて、ファン部１２におけるファンの回転速度を制御するようにすればよい。また、このような方法に限らず、たとえば送出口１０２ｂを開閉可能な構成とし、一部の送出口１０２ｂを閉じた状態としたり、全ての送出口１０２ｂを開いた状態としたりすることによって、風の強さを制御するようにしてもよい。
【００６３】
以下、装着者の周辺の環境情報および装着者の情報に基づいて、空気送出部３から送出される風の強さを制御する方法の具体例について説明する。
【００６４】
制御部１５は、周辺環境情報取得部２１によって取得された装着者の周辺の風の強さの情報に基づいて、空気送出部３から送出される風の強さを制御する。図４は、装着者の周辺の風の強さと空気送出部３から送出される風の強さとの関係を示すものである。具体的には、制御部１５は、装着者の周辺の風の強さ、すなわち眼鏡１が受ける風の強さが第１の閾値Ｔｈ１以下である場合には、眼鏡１が受ける風の強さに比例させて空気送出部３から送出される風の強さを増加させる。このように空気送出部３から送出される風の強さを増加させることによって、周辺の風の影響を受けることなく十分なバリア効果を得ることができる。そして、制御部１５は、眼鏡１が受ける風の強さが第１の閾値Ｔｈ１を超えて第２の閾値Ｔｈ２以下である場合には、空気送出部３から送出される風が層流を維持し、乱流とならないように風の強さを一定値に維持する。
【００６５】
そして、制御部１５は、眼鏡１が受ける風の強さが第２の閾値Ｔｈ２超えた場合には、周辺の風の影響によって空気送出部３から送出される風が乱流となり、花粉を吹き飛ばすことができなくなるので、空気送出部３からの風の送出を停止する。
【００６６】
なお、装着者の周辺の風の強さとしては、たとえばリム１０２に設けられた複数の風圧センサによって検出された風圧のうちの最大値を取得するようにすればよい。また、上記第１の閾値Ｔｈ１および第２の閾値Ｔｈ２は、予め実験などによって取得され、設定される値である。
【００６７】
また、制御部１５は、周辺環境情報取得部２１によって取得された花粉の量に関する情報に基づいて、空気送出部３から送出される風の強さを制御することができる。具体的には、花粉の量が多いほど空気送出部３から送出される風を強くする。
【００６８】
また、制御部１５は、装着者が室内にいるのか、または室外にいるのかの情報に基づいて、空気送出部３から送出される風の強さを制御することができる。具体的には、装着者が室内にいる場合には、空気送出部３から送出される風を弱くする、または停止し、装着者が室外にいる場合には、空気送出部３から送出される風を強くする、または送出を開始するようにしてもよい。
【００６９】
また、制御部１５は、送出口１０２ｂと装着者の顔との間の距離情報に基づいて、空気送出部３から送出される風の強さを制御することができる。具体的には、上記距離が大きいほど空気送出部３から送出される風を強くする。
【００７０】
また、制御部１５は、装着者の顔の肌の水分量の情報に基づいて、空気送出部３から送出される風の強さを制御することができる。具体的には、肌の水分量が少ない場合には、肌が乾燥しているので空気送出部３から送出される風を相対的に弱くする。なお、制御部１５が、装着者の顔の肌の水分量の情報に基づいて、ファン部１２における湿度調整部２８を制御するようにしてもよい。具体的には、制御部１５は、肌の水分量が予め設定された水分量閾値よりも少ない場合には、湿度調整部２８を制御することによってファン部１２から排出される空気の湿度を上げる。すなわち、送出口１０２ｂから送出される空気の湿度を上げる。一方、制御部１５は、肌の水分量が予め設定された水分量閾値よりも高い場合には、湿度調整部２８を制御することによってファン部１２から排出される空気の湿度を下げる。すなわち、送出口１０２ｂから送出される空気の湿度を下げる。このように空気の湿度調整を行うことによって、装着者の肌の水分量を調整することができる。
【００７１】
また、制御部１５は、装着者の体温の情報に基づいて、空気送出部３から送出される風の強さを制御することができる。具体的には、装着者の体温が低い場合には、装着者が風を冷たいと感じているので空気送出部３から送出される風を相対的に弱くする。なお、制御部１５が、装着者の体温の情報に基づいて、ファン部１２における温度調整部２７を制御するようにしてもよい。具体的には、制御部１５は、装着者の体温が予め設定された体温閾値よりも低い場合には、温度調整部２７を制御することによってファン部１２から排出される風の温度を上げる。すなわち、送出口１０２ｂから送出される空気の温度を上げる。一方、制御部１５は、装着者の体温が予め設定された体温閾値よりも高い場合には、温度調整部２７を制御することによってファン部１２から排出される空気の温度を下げる。すなわち、送出口１０２ｂから送出される空気の温度を下げる。このように送出口１０２ｂから送出される空気の温度調整を行うことによって、装着者が心地良い感じる温度の風を顔側に送出することができる。
【００７２】
次に、図３に戻り、装着状態検出部２９について説明する。装着状態検出部２９は、眼鏡本体２の装着者への装着状態を検出するものである。装着状態検出部２９は、たとえばテンプル１０１の開閉状態を開閉センサによって検出することによって、眼鏡本体２の装着者への装着状態を検出することができる。開閉センサとしては、たとえばテンプル１０１が閉じられた状態でオンとなり、テンプル１０１が開かれた状態でオフとなるリミットスイッチなどを用いることができる。
【００７３】
また、眼鏡本体２の装着者への装着状態を検出する方法としては、上記の方法に限らず、たとえばテンプル１０１の耳かけの部分または眼鏡本体２の鼻パッド１０４に密着センサを設け、その密着センサによって肌への密着を検出することによって眼鏡本体２の装着者への装着状態を検出するようにしてもよい。密着センサとしては、たとえば圧力に応じた信号を出力する圧力センサを用いることができる。
【００７４】
また、装着者の眼球の動きを動きセンサ（動き検出部に相当する）によって検出することにより、眼鏡本体２の装着者への装着状態を検出するようにしてもよい。動きセンサとしては、たとえばＬＥＤ（Light Emitting Diode）などの発光素子と、ＰＤ（Photo Detector）などの受光素子とを備えたものを用いることができる。動きセンサは、たとえば黒目の動きに伴う受光素子での受光量の変化に基づいて、眼球（主に黒目）の動きを検出する。そして、装着状態検出部２９は、たとえば動きセンサによって検出された眼球の動きを検出することによって、眼鏡本体２の装着者への装着状態を検出することができる。具体的には、装着状態検出部２９は、動きセンサによって眼球の動きが検出されている状態を、眼鏡本体２が装着者へ装着されている状態として検出し、動きセンサによって眼球の動きが検出されていない状態を、眼鏡本体２が装着者へ装着されていない状態として検出するようにしてもよい。
【００７５】
制御部１５は、装着状態検出部２９によって、眼鏡本体２が装着者に装着されたことが検出された場合には、空気送出部３からの空気の送出を開始し、眼鏡本体２が装着者に装着されていないことが検出された場合には、空気送出部３からの空気の送出を停止する。
【００７６】
なお、空気送出部３からの空気の送出を開始および停止については、その他の条件に基づいて制御するようにしてもよい。具体的には、たとえば装着者が眼を閉じている時間が予め定められた時間以上継続している場合に、空気の送出を停止するようにしてもよい。装着者が眼を閉じているか否かは、上述した動きセンサが黒目を検出できるか否かに応じて判断可能である。また、装着者が予め設定された位置を予め設定された時間以上継続して見ている場合に、空気の送出を停止するようにしてもよい。装着者の視線方向については、上述した動きセンサを用いて検出することができる。
【００７７】
次に、本実施形態の眼鏡１の一連の動作について、図５に示すフローチャートを参照しながら説明する。
【００７８】
まず、眼鏡本体２が装着者に装着されたか否かが装着状態検出部２９によって検出される（Ｓ１０）。装着状態検出部２９によって眼鏡本体２が装着者に装着されたことが検出された場合には（Ｓ１０，ＹＥＳ）、制御部１５による制御によって空気送出部３からの空気の送出が開始され、リム１０２に形成された送出口１０２ｂから装着者の顔側に向けて空気が送出される（Ｓ１２）。なお、空気送出部３からの空気の送出は、ファン部１２に設けられたボタン１２ａの押下によって開始してもよい。
【００７９】
そして、周辺環境情報取得部２１によって装着者の周辺の環境情報として周辺の風の強さの情報が取得され、装着者情報取得部２２によって装着者の情報が取得される（Ｓ１４）。装着者の周辺の風の強さの情報および装着者の情報は制御部１５に入力され、制御部１５は、入力された装着者の周辺の風の強さの情報および装着者の情報に基づいて、空気送出部３から送出される空気によって発生する風の強さを決定する（Ｓ１６）。
【００８０】
そして、制御部１５は、ファン部１２のファンの回転速度などを制御することによって、空気送出部３から送出される空気によって発生する風の強さをＳ１６において決定された強さに制御する（Ｓ１８）。
【００８１】
次いで、空気送出部３からの空気の送出停止条件が満たされたか否かが制御部１５によって判定され、送出停止条件が満たされていない間は、空気の送出が継続される（Ｓ２０，ＮＯ）。一方、空気の送出停止条件が満たされた場合には（Ｓ２０，ＹＥＳ）、空気の送出が停止される（Ｓ２２）。なお、空気の送出停止条件としては、上述したように、眼鏡本体２が装着者に装着されていないことが装着状態検出部２９によって検出された場合、装着者が眼を閉じている時間が予め定められた時間以上継続している場合、装着者が予め設定された位置を予め設定された時間以上継続して見ている場合、およびファン部１２に設けられたボタン１２ａが押下された場合がある。
【００８２】
なお、上記実施形態の説明においては、制御部１５によって空気送出部３から送出される風の強さを自動的に制御するようにしたが、装着者の周辺の風の向きの情報に基づいて、空気送出部３から送出される風の向きを制御するようにしてもよい。図６は、空気送出部３から送出される風の向きを制御可能な眼鏡５の構成を示すものである。
【００８３】
眼鏡５においては、空気の送出口１０２ｂが、リム１０２の各辺に沿って細長く形成されており、各辺の送出口１０２ｂに、空気の送出によって発生する風の向きを変更するルーバー３０〜３３が設けられている。ルーバー３０〜３３の各板の傾きは上下方向に変更可能であり、かつ各板の面の向きが左右方向に変更可能なように構成されている。なお、図６においては、左側の眼鏡レンズ１０の周囲のリム１０２に設けられたルーバーのみを示しているが、右側の眼鏡レンズ１０の周囲のリム１０２に設けられるルーバーの構成も同様である。
【００８４】
図７は、図６に示す左側のルーバー３２の動きを説明するための図であり、ルーバー３２が設けられた辺のＡ−Ａ線断面を示す図である。図７の一番左の図は、ルーバー３２が閉じた状態を示しており、この場合、エアチューブ１６から送出された空気は、リム１０２の外側には送出されない。また、図７の左から２番目の図は、ルーバー３２の各板が下側を向いている状態を示す図であり、エアチューブ１６から送出された空気は、ルーバー３２を介して下側に向けて送出される。また、図７の左から３番目の図は、ルーバー３２の各板が水平方向を向いている状態を示す図であり、エアチューブ１６から送出された空気は、ルーバー３２を介して水平方向に送出される。また、図７の一番右の図は、ルーバー３２の各板のうち上側の一部の板だけ上側を向き、下側の板は閉じている状態を示す図である。この場合、エアチューブ１６から送出された空気の一部が、ルーバー３２を介して上側に送出される。このようにルーバー３２の一部の板だけ向きを変更することも可能である。
【００８５】
そして、制御部１５は、周辺環境情報取得部２１によって取得された風の向きの情報に基づいて、ルーバー３０〜３３の各板の傾きおよび/または各板の面の向きを制御する。具体的には、たとえば周辺環境情報取得部２１によって取得された風の向きの情報が左である場合には、すなわち眼鏡５が左側から風を受けている場合には、ルーバー３０〜３３の各板の面の向きを左側に向けるようにし、風の向きの情報が右である場合には、すなわち眼鏡５が右側から風を受けている場合には、ルーバー３０〜３３の各板の面の向きを右側に向けるようにすればよい。また、風の向きの情報が上である場合には、ルーバー３０〜３３の各板が上側を向くようにし、風の向きの情報が下である場合には、ルーバー３０〜３３の各板が下側を向くように制御すればよい。
【００８６】
また、ルーバー３２については、装着者の顔側だけでなく、図８に示すように、装着者の顔側とは反対側、つまりリム１０２の前方にも設けるようにしてもよい。この場合、装着者の顔側だけでなく、リム１０２（眼鏡５）の前方（装着者側とは反対側）にも風を送出することができる。具体的には、たとえば図９に示すように、リム１０２（眼鏡５）の前方から受ける風Ｗ３が強くなると眼鏡レンズ１０の上下のリム１０２に当たる風が、眼鏡レンズ１０と眼の間に巻き込まれて渦を作るため、空気送出部３から送出される風Ｗ１の向きを顔側から前方側に変更し、巻き込まれる風Ｗ３を相殺することが望ましい。
【００８７】
また、図１０に示すように、リム１０２（眼鏡５）の下側から受ける風Ｗ３が強くなるとリム１０２の上側の辺の上方をすり抜ける風Ｗ３が強くなるため、リム１０２の上側の辺に形成された送出口１０２ｂからの風の送出が必要なくなる。したがって、リム１０２の上側の辺に設けられたルーバー３０は閉じた状態とする。一方、リム１０２の下側の辺に当たった風Ｗ３は、眼鏡レンズ１０と眼の間に入り込んでくるため、空気送出部３から送出される空気によって発生する風Ｗ１の向きを顔側から前方下側に変更し、さらに顔側に風を送出していたときよりも風を強くすることが望ましい。
【００８８】
なお、眼鏡の上側から受ける風Ｗ３が強くなった場合には、逆に、リム１０２の下側の辺に設けられたルーバー３１は閉じた状態とし、空気送出部３から送出される空気によって発生する風Ｗ１の向きを顔側から前方上側に変更し、さらに顔側に風を送出していたときよりも風を強くすることが望ましい。
【００８９】
上記実施形態の空気送出機能付き眼鏡によれば、装着者の周辺の環境情報または装着者の情報に基づいて、空気送出部から送出される空気によって発生する風の強さおよび/または向きを自動的に制御するようにしたので、装着者の周辺の環境または装着者の状態などに応じて、心地良い、すなわち不快を与えない強さまたは向きの風を送出することができ、花粉または粉塵などのバリア効果を充分に得ることができる。
【００９０】
なお、上記実施形態においては、周辺環境情報取得部２１と装着者情報取得部２２とを設けるようにしたが、これらのうちのいずれか一方のみを設けるようにしてもよい。
【符号の説明】
【００９１】
１     空気送出機能付き眼鏡
２     眼鏡本体
３     空気送出部
５     空気送出機能付き眼鏡
１０   眼鏡レンズ
１１   フレーム
１２   ファン部
１２ａ ボタン
１２ｂ 取込み口
１２ｃ 排出口
１３   送出制御情報取得部
１４   電源部
１５   制御部
１６   エアチューブ
２１   周辺環境情報取得部
２２   装着者情報取得部
２３   無線通信部
２４   温度検出部
２５   湿度検出部
２６   風圧検出部
２７   温度調整部
２８   湿度調整部
２９   装着状態検出部
３０〜３３     ルーバー
４０   距離検出部
４１   肌水分量検出部
４２   体温検出部
１０１ テンプル
１０２ リム
１０２ａ       孔
１０２ｂ       送出口
１０３ ブリッジ
１０４ 鼻パッド
Ｗ１〜Ｗ３     風
【図１】
2017134100.tif 000003
【図２】
2017134100.tif 000004
【図３】
2017134100.tif 000005
【図４】
2017134100.tif 000006
【図５】
2017134100.tif 000007
【図６】
2017134100.tif 000008
【図７】
2017134100.tif 000009
【図８】
2017134100.tif 000010
【図９】
2017134100.tif 000011
【図１０】
2017134100.tif 000012